(57)【要約】  予め定められた方向で毛髪の間にアプリケータを通過させることによって、ユーザの毛髪に毛髪トリートメント製品組成物を塗布するための毛髪トリートメントアプリケータ（１０）であって、アプリケータは、ハンドル（２０）と、本体及び保持構造体（１１５）を有する先端部（５０）とを備え、先端部は前記ハンドルに接続され、前記本体は基部（１００）を有し、また保持構造体は、基部から下向きに伸び、基部の縁部に最も近い一対の対向するブレード（１２０）を備え、前記一対の対向するブレード（１２０）は使用方向と一致して配置され、前記対向するブレードは、毛髪トリートメント製品組成物を受容することに適合する保持量（１１７）を画定する。
2007503270.tif 000002
【特許請求の範囲】
【請求項１】
予め定められた使用方向Ａで毛髪の間にアプリケータ１０を通過させることによって、毛髪トリートメント製品組成物をユーザの毛髪に塗布するための毛髪トリートメントアプリケータ１０であって、
長手方向軸線を有する細長いハンドル２０と、
本体７５及び保持構造体１１５を有する先端部５０と
を備え、
前記先端部５０が前記ハンドル２０に接続され、
前記本体７５が基部１００を有し、
前記保持構造体１１５が、前記基部１００から下向きに伸び、前記基部１００の縁部１１０に最も近い、一対の対向するブレード１２０を備え、
前記一対の対向するブレード１２０が、前記使用方向Ａと一致して配置され、
前記対向するブレード１２０が、前記毛髪トリートメント製品組成物を受容するのに適合する保持量１１７を画定する
アプリケータ１０。
【請求項２】
前記予め定められた使用方向Ａが前記ハンドル２０の前記長手方向軸線Ｙに沿って向いている、請求項１のアプリケータ１０。
【請求項３】
前記ハンドル２０の前記長手方向軸線Ｙと本質的に一致する少なくとも１つの追加ブレード１４０を更に備え、
前記追加ブレード１４０の前縁部１５０が、前記ハンドル２０に最も近い前記基部１００の前記周辺縁部１１０に最も近い請求項２のアプリケータ１０。
【請求項４】
第２の一対の対向するブレード１４０を更に備え、
前記対向するブレード１４０が前記ハンドルの前記長手方向軸線Ｙと本質的に一致し、
前記第２の一対のブレード１４０の一方の前記前縁部１５０が、前記ハンドル２０に最も近い前記基部１００の前記周辺縁部１１０に最も近い請求項２のアプリケータ１０。
【請求項５】
前記第１の一対のブレード１２０が前記第２の一対のブレード１４０より幅広である、請求項４のアプリケータ１０。
【請求項６】
前記ブレードが方形の平面的形状を有する、請求項１〜５のいずれか一項に記載のアプリケータ１０。
【請求項７】
前記ブレードが、翼形を有する前縁部を有する、請求項１〜６のいずれか一項に記載のアプリケータ１０。
【請求項８】
前記ブレードが枕形を有する、請求項１〜７のいずれか一項に記載のアプリケータ１０。
【請求項９】
前記基部１００から最も遠い、前記ブレードの末端部が、斜めに切られている、請求項１〜８のいずれか１項に記載のアプリケータ１０。
【発明の詳細な説明】
【技術分野】
【０００１】
本発明は、毛髪トリートメント装置に関する。より具体的には、本発明は、毛髪トリートメントアプリケータと、毛髪に毛髪トリートメント製品組成物を塗布する方法とに関する。特に、本発明は、長い毛髪又は巻いている、特に長く、巻いている毛髪に、濃厚な毛髪ライトニング製品組成物を塗布するための毛髪トリートメントアプリケータに関する。
【背景技術】
【０００２】
毛髪トリートメントアプリケータ又はヘアカラーアプリケータは既知である。そのような毛髪トリートメントアプリケータは、ユーザがハイライト、ヘアブリーチ、又はヘアダイなどの毛髪製品を毛髪に塗布するのを可能にする。
【０００３】
２００２年１０月４日に出願され、本明細書における譲受人であるプロクター・アンド・ギャンブル社（The Procter & Gamble Company）に譲渡された米国仮出願６０／４１６，１６３は、毛髪にハイライト組成物を塗布するアプリケータを開示する。６０／４１６，１６３の出願のハイライトアプリケータは、ハンドルと、ハンドルに接続された複数の先端部と、保持量を画定する複数の歯を有する毛髪トリートメント組成物保持構造体とを有する。６０／４１６，１６３の出願の保持構造体を画定する歯は、横断面が円形で、長さが短い。その結果、この装置は短いヘアスタイルには適するものの、長い毛髪又は巻いている毛髪、特に長く、巻いている毛髪には適さない。
【０００４】
米国特許第６，１４２，１５７号（ラフォケード（de Laforcade））では、アプリケータシステムが開示される。アプリケータは、ブラシを有するハンドルと、ブラシの第１側面から延びる複数本のブラシ部材とを有する。ブラシ部材は、ブラシの第１側面に沿って、平行な列及び垂直な列で配置されている。ユーザは毛髪製品をブラシ部材の上に配置し、アプリケータを少量の毛髪に沿って通過させ、ブラシ部材が、毛髪製品を毛髪に付着させる。開示されたアプリケータは、処置された毛髪と未処置の毛髪との分離ができない欠点を持っている。
【０００５】
米国特許第６，０７９，４２０号（マサム（Musum））では、ハイライトコームが開示される。同コームは、ハンドルに接続されたとげ状突起に固定した複数本の歯を有する。歯は、直線に沿って互いに隣接して配置されている。コームのユーザは、隣接する歯のそれぞれの間に配置される保持区域の中にトリートメント材料を配置し、次に、毛髪の間に歯を通過させる。開示されたコームは、保持区域間の分離を提供せず、その区域を、処置されない毛髪が通過することがある欠点を持っている。
【発明の開示】
【発明が解決しようとする課題】
【０００６】
毛髪が長い場合、従来のアプリケータは毛髪を貫通しない。それよりむしろ、毛髪は、押し下げられて、アプリケータ先端部は、使用されるとき、毛髪の表面を横切って引っ張られる。巻いている毛髪では、ストランドのもつれがより多くなり、従来のアプリケータは毛髪内に捕えられる。どちらの場合も、毛髪の表面上への毛髪トリートメント製品組成物の不ぞろいな分配があり、不充分な製品が毛髪の内面に塗布される。特に、極端な場合、製品は大きい塊として長い毛髪上に分配されて、過剰な量の製品が均等に分配されるよりもむしろ局部的に塗布されて、その結果、劣った美観を生じる。
【課題を解決するための手段】
【０００７】
長い毛髪に毛髪トリートメント製品を均一に塗布する毛髪トリートメントアプリケータを提供することが、本発明の目的である。
【０００８】
巻いている毛髪に毛髪トリートメントを均一に塗布するそのようなアプリケータを提供することが、本発明のもう一つの目的である。
【０００９】
濃厚なヘアブリーチ、ヘアライトニング、ヘアハイライト、又はヘアダイ製品組成物を、そのようなアプリケータの保持量で保持し、またそのような組成物を長く、巻いている毛髪に塗布するのに好適なアプリケータを提供することが、本発明のもう一つの態様である。
【００１０】
本発明のこれらの目的及びその他の目的と長所とが、ハンドルとハンドルに接続された先端部とを有する毛髪トリートメントアプリケータにより提供され、先端部は、先端部本体と、先端部本体の基部から下向きに伸びる毛髪トリートメント組成物保持構造体とを備え、保持構造体は、長い毛髪及び巻いている毛髪を貫通するのに適合する手法で設計され、また更に、毛髪上に毛髪トリートメント製品組成物を均一に堆積させるために、毛髪の間を通してアプリケータを容易に滑らせる手法で設計される。
【００１１】
本発明はまた、毛髪上に毛髪トリートメントを塗布するための毛髪トリートメントアプリケータでもあり、アプリケータは、ハンドルとハンドルに接続された先端部とを備え、先端部は、先端部本体と先端部本体に接続された保持構造体とを備え、保持構造体は、濃厚な毛髪トリートメント製品組成物を保持することと、使用中に長い毛髪及び巻いている毛髪にそのような組成物を塗布することに適合している。
【００１２】
本発明はまた、毛髪上に毛髪トリートメント製品組成物を塗布するための毛髪トリートメントアプリケータでもあり、アプリケータは、細長いハンドルとハンドルに接続された先端部とを備え、先端部は、本体及び保持構造体を有し、保持構造体は、基部の縁部に最も近い先端部本体の基部から下向きに伸び、アプリケータの使用方向にほぼ平行な少なくとも１対の対向するブレードを備え、少なくとも１対のブレードは、濃厚な毛髪トリートメント製品組成物を保持するための保持量を画定する。
【００１３】
本発明のこれらの目的及びその他の目的、長所、並びに特徴は、次の図面及び詳細な説明を参照することにより理解される。
【発明を実施するための最良の形態】
【００１４】
本発明は、濃厚な毛髪トリートメント製品組成物を毛髪上に塗布するための毛髪トリートメントアプリケータに関する。本発明のアプリケータは、長い及び／又は巻いている毛髪のために、特に長く、巻いている毛髪のために設計される。
【００１５】
アプリケータは、ハンドルとハンドルに接続された先端部とを備え、先端部は、本体と濃厚な毛髪トリートメント製品のための保持構造体とを有する。ハンドルは、好ましくは、消費者による使用を容易にするために細長い。保持構造体は、基部の縁部に最も近い先端部本体の基部から下向きに伸び、アプリケータの使用方向にほぼ平行な少なくとも１対の対向するブレードを備え、少なくとも１対の対向するブレードは、濃厚な毛髪トリートメント製品組成物を保持するための保持量を画定する。
【００１６】
本明細書で使用するとき、アプリケータの使用方向は、使用中にアプリケータが引っ張られるか又は押される方向である。一般に、また図１〜図６に説明される実施形態では、使用を容易にするためにハンドルが細長いので、使用の軸線は、図６に示されるハンドル２０の長手方向軸線Ｙである。図１〜図６に示される実施形態では、トリートメント組成物を含有するアプリケータ１０の使用の、好ましくまた意図される方向は、ほぼ矢印Ａ（図６）の方向であるが、アプリケータ１０を反対方向に使用することもまた可能である。勿論、アプリケータ１０は、ユーザの毛髪上で直線で使用される必要がないことが、認められる。それよりむしろ、アプリケータは、経路１７０、１８０（図３）がほぼ使用方向にある限り、ユーザの毛髪上で弓形の進路で使用されてもよい。
【００１７】
図１〜図６の図面に関し、参照番号１０によって概ね表される、本発明の毛髪トリートメントアプリケータの実施形態が示される。アプリケータ１０は、ハンドル２０とハンドルに接続された先端部５０とを有し、アプリケータは、図６に示されるような矢印Ａの方向での使用が意図される。好ましくは、ハンドル２０と先端部５０は、合わせて一体的に成形又は形成される。
【００１８】
ハンドル２０とは、次に詳細に論じられるように、ユーザの毛髪に沿って先端部５０を通過させるとき、ユーザが自分の手で把持する細長いハンドルである。ハンドル２０は、先端部５０に固定されるか又は先端部５０と一体成形若しくは形成される、当該技術分野において既知のいかなるタイプのハンドルであってもよい。ハンドル２０は、好ましくは、アプリケータ１０がユーザの毛髪に沿って通過するか又は同毛髪を撫でるときにアプリケータ１０の繰り返しの動きのために、ユーザにとっての快適性及び有効性を最大化するように人間工学的に設計された外形をなす。図面では、楕円形の形体であり、また約０°〜約６０°、好ましくは３０°〜４５°、特に、図５に最も明確に示されるように４５°の角度αで先端部５０から伸びるハンドル２０の実施形態が示される。図４に最も明確に示されるように、ハンドル２０は、盛り上がった周辺表面２５によって画定される凹部２２を有する。凹部２２は、自分自身の毛髪を処置している個人の親指を受容することに適合している。
【００１９】
図１〜図６に関し、先端部５０は対称形を有し、また図２及び図４に最も明確に示されるように、基部１００を有する本体７５を有する。好ましくは、基部１００は楕円形であり、楕円形の基部の長軸は、ハンドル２０の長手方向軸線Ｙと一致する。第１の一対の対向するブレード１２０は、基部１００から下向きに伸びる。図３及び図４に最良に示されるように、対向するブレード１２０は、外側面１２２及び内側面１２４を有し、基部１００から最も遠い末端部１２５は外側傾斜面１２７及び内側傾斜面１２８、各々を有する。傾斜面１２７、１２８は、各ブレード１２０の前縁部１３０から後縁部１３２まで伸びるチゼルエッジ（のみ形縁部）１２９を形成する。本明細書で使用するとき、前縁部は、使用の意図される方向に最も近い縁部であり、説明される実施形態では、ハンドル２０に最も近い。
【００２０】
第１の一対の対向するブレード１２０は、図１及び図２に最も明確に示されるように、毛髪トリートメント製品の保持量１１７を含有するための保持構造体１１５を画定する。
【００２１】
第１の一対の対向するブレード１２０は、基部１００の縁部１１０の最も近くに位置し、また長手方向軸線Ｙに平行である。基部１００が楕円形の形体であるとき、ブレード１２０はまた、基部１００の長軸にも平行である。図５でブレード１２０ａにより示されるように、ブレード１２０は、側面から見るときほぼ方形の形体を有する。図４に最良に示されるように、好ましくは、ブレード１２０は、「枕」形を有する。「枕」形により、ブレード１２０の前縁部１３０は、使用中にブレード１２０が毛髪の間を通って分割できる翼形体を確実に有する。これは、毛髪トリートメント製品組成物を長い毛髪、特に長く、巻いている毛髪に塗布するときに重要である。この形体では、ブレードは、毛髪、特に巻いている毛髪、特別に、長く、巻いている毛髪を絡ませる傾向が少ない。枕形が好ましいものの、ブレード１２０の後縁部１３２が、翼形体を有することは重要でない。チゼルエッジ１２９は、アプリケータ１０が毛髪の層を貫通し、また毛髪トリートメント組成物を毛髪に均一に放出するのを可能にする。
【００２２】
好ましい実施形態では、特に、毛髪トリートメント製品を毛髪のより広い部分、例えば、毛髪の幅約３／８インチ又はそれより広い部分の上に塗布することを意図するアプリケータでは、同様に使用方向に平行である、すなわち、図１〜図６の説明される実施形態の長手方向軸線Ｙに平行であるが、その側壁面が、基部１００の縁部１１０に実質的には最も近くない１又はそれ以上の追加ブレード１４０を設けることが好ましい。最も好ましくは、より多くのブレード１４０の１つは、使用方向の軸線と一致する、すなわち、説明される実施形態の長手方向軸線Ｙと一致し、また図２及び図５に最も明確に示されるように、基部１００の前側及び後側に位置する。ブレード１４０が設けられるとき、使用方向を向く長手方向軸線Ｙと一致するブレード、すなわち、図４に示されるブレード１４０ａを設けることが好ましい。最も好ましくは、対向する一対のブレード１４０ａ及び１４０ｂが設けられる。
【００２３】
ブレード１４０は、図５でブレード１４０ｂによって示されるように、側面から見るときほぼ方形の形体を有する。ブレード１４０は、平坦な表面１４２及び表面１４４を有し、基部１００から最も遠い末端部１４５は、傾斜面１４７、１４８を有する。傾斜面１４７、１４８は、各ブレード１４０の前縁部１５０から後ろ縁部１５２まで伸びるチゼルエッジ１４９を形成する。
【００２４】
好ましくは、ブレード１４０は、図４に最良に示されるように、「枕」形を有する。「枕」形により、ブレード１４０の前縁部１５０は、使用中にブレードが毛髪の間を通って分割できる翼形体を確実に有する。これは、長い毛髪、特に長く、巻いている毛髪に、毛髪トリートメント製品を塗布するときに重要である。この形体では、ブレードは、毛髪、特に巻いている毛髪、特別に、長く、巻いている毛髪を絡ませる傾向が少ない。枕形は好ましいものの、ブレード１４０の後縁部１５２が翼形体を有することは重要でない。チゼルエッジ１４９は、アプリケータ１０が毛髪の層を貫通し、また毛髪トリートメント組成物を毛髪に均一に放出するのを可能にする。
【００２５】
図面で示される好ましい実施形態では、対向するブレード１２０及び対向するブレード１４０各々からなる１組は、図４に説明されるように、正方形のパターンで（基部１００が円形の形体であるとき）又はダイヤモンドのパターンで（基部１００が楕円形の形体であるとき）基部１００に沿って設けられる。好ましくは、ブレード１２０、１４０は基部１００に垂直である。
【００２６】
好ましくは、ブレード１２０、１４０は、約０．６４ｃｍ（約０．２５インチ）〜約３．８１ｃｍ（約１．５インチ）の高さを有する。より好ましくは、ブレード１２０、１４０は、約１．２７ｃｍ（約０．５インチ）〜約１．９ｃｍ（約０．７５インチ）の高さを有する。好ましくは、ブレード１２０は、例えば、前縁部１３０から後縁部１３２まで測定されるとき、約０．５ｃｍ（約０．２インチ）〜約１．９ｃｍ（約０．７５インチ）、好ましくは約０．６４ｃｍ（約０．２５インチ）〜約１．５ｃｍ（約０．６インチ）の幅を有する。好ましくは、対向するブレード１２０は同じ高さ及び幅を有する。ブレード１４０は、ブレード１２０より幅が狭く、好ましくはブレード１２０のほぼ半分の幅で、ほぼ同じ高さである。好ましくは、ブレード１４０は、前縁部１５０から後縁部１５２まで測定されるとき、約０．２５ｃｍ（約０．１インチ）〜約１．２７ｃｍ（約０．５インチ）、好ましくは約０．３８ｃｍ（約０．１５インチ）〜約０．７６ｃｍ（約０．３インチ）の幅を有する。好ましくは、ブレード１４０は同じ高さ及び幅を有する。ブレード１２０の厚さは、表面１２２と表面１２４の間のその最も幅の広い箇所で測定されるとき、約０．０７ｃｍ（約０．０３インチ）〜約０．６４ｃｍ（約０．２５インチ）、より好ましくは約０．２５ｃｍ（約０．１インチ）〜約０．５ｃｍ（約０．２インチ）である。ブレード１４０の厚さは、外側表面１４２と内側表面１４４の間でその最も幅の広い箇所で測定されるとき、約０．０７ｃｍ（約０．０３インチ）〜約０．６４ｃｍ（約０．２５インチ）、より好ましくは約０．１５ｃｍ（約０．０６インチ）〜約０．２４ｃｍ（約０．１インチ）である。
【００２７】
基部１００は円形であってもよいが、好ましくは楕円形である。好適には、基部は、円形であるとき約１．０ｃｍ（約０．４インチ）〜約３．１８ｃｍ（約１．２５インチ）、好ましくは約１．９ｃｍ（約０．７５インチ）〜約２．５４ｃｍ（約１インチ）の直径を有する。楕円形であるとき、基部は、約１ｃｍ（約０．４インチ）〜約３．２ｃｍ（約１．２５インチ）、好ましくは約１．９ｃｍ（約０．７５インチ）〜約２．５４ｃｍ（約１インチ）の長径を有する一方、短軸は、約１ｃｍ（約０．４インチ）〜約３ｃｍ（約１．２インチ）、好ましくは約１．６ｃｍ（約０．６５インチ）〜約１．９ｃｍ（約０．７５インチ）の直径を有し、長径対短径の比は、１：１〜２：１、好ましくは１．１：１〜１．３：１の範囲内である。
【００２８】
好ましい実施形態は第１の一対の対向するブレード１２０と第２の一対の対向するブレード１４０とを有するものの、別の数のブレード１２０、１４０もまた使用可能である。ブレードの対は重要でない。ブレード１２０、１４０は基部１００に沿って配置され、側面１２２、１２４、１４２、及び１４４は、ハンドル２０の長手方向軸線Ｙにほぼ平行である。
【００２９】
使用中、毛髪の流れは、矢印Ａ（図６）の方向で、ハンドル２０の長手方向軸線に平行な対向するブレード１２０の間にあり、また対向するブレード１４０の面１４２，１４４のどちらの側にもある。ブレード１２０、１４０のダイヤモンドのパターンは、ブレード間に保持される毛髪トリートメント製品組成物のより等しい分配を提供するので好ましい。しかし、方形のパターンを含む、基部１００に沿ったブレード１２０、１４０の配置の別のパターン又は形状が使用されてもよい。好ましくは、経路１７０、１８０は、幅約０．５ｃｍ（約０．２インチ）〜約２．５４ｃｍ（約１インチ）である。より好ましくは、空間１７０、１８０は、幅約０．７６ｃｍ（約０．３インチ）〜約１．５ｃｍ（０．６インチ）である。
【００３０】
好ましい実施形態では、基部１００、ブレード１２０、及びブレード１４０は、保持量又は貯臓器１１７を画定する。使用中、保持量１１７は、ユーザの毛髪に塗布される予定の毛髪トリートメント製品組成物で充満される。毛髪トリートメント製品組成物を含有するアプリケータが、トリートメントを受ける個人の毛髪の間を通って引っ張られるとき、アプリケータは、意図される使用方向、すなわち、矢印Ａの方向に引っ張られ、毛髪は、経路１７０、１８０を通って保持量１１７を通過する。ブレード１２０、１４０の「枕」形は、長い毛髪及び巻いている毛髪上で、特に長く、巻いている毛髪上でアプリケータを使用するのを容易にする。故に、ブレード１４０ａの前縁部１５０ａは、毛髪を分け進み、また長く、巻いている毛髪を絡ませない。同様に、対向するブレード１２０の前縁部１３０は、毛髪トリートメント製品組成物が塗布される長い毛髪又は巻いている毛髪を分け進む。保持量１１７内を通る毛髪は、毛髪トリートメント製品組成物の塗布で処置されるものの、各ブレード１２０のどちらの外側表面１２６上の毛髪もそのように処置されない。にもかかわらず、長く、巻いている毛髪の場合、処置される毛髪及びそのような毛髪に隣接する毛髪が、製品と接触する前にほぐれて、分離していることが重要であり、それが、本明細書で開示されるアプリケータによって達成される。同じ手法で、ブレード１２０、１４０のベベルエッジ（bevel edge）１２９、１４９は、アプリケータが、長く、巻いている毛髪の層を貫通するのを可能にする。追加経路１７０又は１８０は、１つ又はそれ以上の追加ブレード１２０又は１４０を設けることにより可能になる。
【００３１】
アプリケータ１０は、好ましくは、単一片として射出成形される。アプリケータ１０は、例えば、ポリエチレン又はポリプロピレンなど、いかなる成形可能な材料からも作製できる。
【００３２】
このアプリケータは、毛髪にヘアブリーチ製品又はヘアダイ製品を塗布して、毛髪にハイライト又はその他のヘアカラー効果をもたらすのに特に有用である。毛髪は層状化する及び／又は絡む傾向があり、故に、ヘアダイ製品又はヘアブリーチ製品の均一な分配を妨げるので、そのようなハイライト効果又はヘアダイ効果は、従来のコームで達成するのは困難である。
【００３３】
ヘアブリーチ（すなわち、ヘアライトニング）製品は、所定期間の間、充分なライトニングをもたらすことに適合しているので、毛髪はブリーチされて、より明るい、好ましくはブロンドの色調になってよい。典型的には、ユーザに毛髪のハイライト又は明るくなった毛髪の筋をもたらすために、本発明のアプリケータと共に使用される毛髪ブリーチトリートメント製品は、（ａ）一般に顕色剤成分と呼ばれる過酸化物溶液、（ｂ）同様にライトニングパウダー又は効果促進剤と呼ばれる粉末活性剤成分、及び（ｃ）アルカリ化剤成分を含む３成分ヘアブリーチシステムを含む。
【００３４】
これら３成分（ａ）（ｂ）及び（ｃ）は、典型的には、キットの形体で提供され、キットは、典型的には本発明のアプリケータも含有し、また使用説明書、手袋、毛髪前処理成分、及び毛髪後処理成分を更に含有してもよい。ヘアブリーチ製品のキットの３必須成分（ａ）（ｂ）及び（ｃ）は、典型的には、キットの別個の部分であるか、又は３成分（ａ）（ｂ）若しくは（ｃ）の１つのための容器として提供される容器で、使用時に混合される。
【００３５】
顕色剤成分組成物は過酸化水素溶液を含む。この溶液は、約３〜約１２重量％、好ましくは６〜１２重量％、最も好ましくは約９重量％の過酸化水素を含有し、更に好ましくは、その使用を容易にし、その性能を促進するための追加成分、例えば、１又はそれ以上の増粘剤、乳化剤、又はヘアコンディショニング剤を含有し、各々が充分な量で顕色剤成分中に存在して、顕色剤成分組成物中で、又は顕色剤成分が活性剤の粉末成分及びアルカリ化剤成分と混合されるときに得られるヘアブリーチ製品組成物中でその意図される機能を提供する。ヘアブリーチの顕色組成物及びヘアダイの顕色組成物に好適な増粘剤は、当該技術分野において周知である。顕色剤成分のｐＨは概ね、約２．５〜約５．５、特に約３〜約４の範囲である。
【００３６】
本発明の粉末活性化剤成分は、過硫酸ナトリウム、過硫酸カリウム、過硫酸アンモニウム、及びこれらの混合物から成る群から選択される過硫酸アルカリ金属塩を含む。粉末活性化剤成分は、活性化剤成分組成物の約４０〜約８０重量％、好ましくは５０〜７０重量％の過硫酸塩を含有する。好ましい過硫酸塩は、過硫酸アンモニウムと過硫酸カリウムの混合物である。粉末活性化剤成分は更に、アルカリ性剤を含有して、製品成分を混合したときにアルカリ漂白製品を確実なものにする。好適にはアルカリ性剤は、粉末活性化剤成分組成物の約２０〜約５０重量％、好ましくは約３０〜約４０重量％の量で活性化粉末成分中に存在するケイ酸ナトリウムである。粉末活性化剤成分を配合する際に、本明細書で後に説明されるように、ヘアブリーチ製品組成物の必要なレオロジー特性及び粘度特性を考慮に入れるべきである。
【００３７】
ヘアブリーチシステムの第３成分は、アルカリ化剤成分である。アルカリ化剤成分中の前記アルカリ化剤は、水酸化アンモニウム、モノエタノールアミン、及びこれらの混合物から成る群から選択される。この成分組成物は概ね、約８〜１２のｐＨを有する。一般にアルカリ化剤は、使用されるアルカリ化剤によって、アルカリ化剤成分の約３〜約２５重量％の量で存在する。好ましくは、アルカリ化剤成分は、濃厚な液体、ゲル、又はクリームの形体である。アルカリ化剤成分を配合する際に、また特に増粘剤を選択する際に、本明細書で後に説明されるように、ヘアブリーチ製品組成物の必要なレオロジー特性及び粘度特性を達成する増粘剤成分の選択に考慮を払うべきである。
【００３８】
使用中、ヘアブリーチ製品組成物を積載したアプリケータ１０は、処置される毛髪の間を通って引っ張られ、また毛髪は対向する経路１７０、１８０を通過する。ヘアブリーチ製品組成物は、本明細書で後に説明されるように、その揺変性のレオロジー特性を考慮して保持量２００で保持される。
【００３９】
毛髪に塗布されるヘアブリーチ製品組成物（すなわち、３成分の混合物）は、適度の剪断応力で流れ始めるようなレオロジーを有するが、剪断力が作用しないとき固まる充分に高い粘度を有し、自分の毛髪をライトニングする人の顔及び首を流れて滴り落ちるのを回避する。一般にこのレオロジーは、揺変性又はずり減粘と呼ばれる。ヘアブリーチ製品組成物の粘度は、適切なスピンドル（紡錘）を使用するブルックフィールド（Brookfield）ＬＶＴ粘度計によって適切な速度で測定されるとき、２５℃及び大気圧で、約２０〜約６０Ｐａ・ｓ（約２０，０００〜約６０，０００ｃｐｓ）、好ましくは約３０〜約４５Ｐａ・ｓ（約３０，０００〜約４５，０００ｃｐｓ）である。本発明のアプリケータを用いて毛髪に塗布するのに好適なヘアブリーチ製品のより詳細な説明は、本発明の譲受人によって２００３年３月２０日に出願され、本明細書に参考として組み込まれる米国特許出願１０／３９２，９８９に見出される。本発明のアプリケータは、本明細書の譲受人により販売される製品ハーバル・エッセンス・ハイライトニング（Herbal Essences Highlighting）と共に使用されてもよい。
【００４０】
粉末活性剤組成物、顕色剤成分、及びアルカリ化剤成分が、混合容器に加えられ、一緒に混合される。均一の混合が得られたとき、ヘアブリーチ組成物は、全ての剪断力が取り除かれた場合ペースト状の濃度を有する。この組成物はすくい上げられて、アプリケータ１０の保持量２００内に配置されるか、又は混合容器に取り付けられたノズルを通って、アプリケータの保持量内に塗布されてもよい。ヘアブリーチ製品組成物は、そのレオロジーのために、また作用する剪断力がないために、保持量２００で保持される。次に、ユーザは、アプリケータ、特にアプリケータの先端部と製品組成物を積載したその貯臓器とを、なめらかで均一な動きで毛髪の間を通して引っ張ることにより、ヘアブリーチ製品組成物を毛髪に塗布する。このプロセスが繰り返されて、追加の筋及び／又はハイライトを毛髪にもたらしてもよい。
【００４１】
ヘアブリーチ製品組成物は、処置される毛髪の色と所望される最終的な毛髪の色調とによって、任意の時間、毛髪上に留まることができる。これは、一般には約５分〜約１時間、好ましくは１０分〜４５分である。所望の色調が得られたとき、毛髪はシャンプーで洗われる及び／又はすすがれる。このとき、いかなる後処置組成物、例えば、コンディショナーなどが毛髪に塗布されてもよい。
【００４２】
本発明の好ましい形態を特に参照して説明したが、本明細書で画定した、本発明の主旨及び範囲から逸脱することなく、本発明の様々な変更及び修正が行われてもよいことは明白である。
【００４３】
「発明を実施するための最良の形態」で引用したすべての文献は、関連部分において本明細書に参考として組み込まれているが、どの文献の引用も、それが本発明に関する先行技術であるとの容認と解釈されるべきではない。
【００４４】
本発明の特定の実施形態について説明し記載したが、本発明の精神及び範囲から逸脱することなく、他の様々な変更及び修正を実施できることが、当業者には明白であろう。従って、本発明の範囲内にあるそのような全ての変更及び修正を、添付の特許請求の範囲で扱うものとする。
【図面の簡単な説明】
【００４５】
【図１】右側から見た、本発明の毛髪トリートメントアプリケータの前側斜視図。
【図２】図１のアプリケータの後側斜視図。
【図３】図１のアプリケータの正面図。
【図４】図１のアプリケータの底面。
【図５】図１のアプリケータの側面図。
【図６】図１のアプリケータの背面図。
【図１】
2007503270.tif 000003
【図２】
2007503270.tif 000004
【図３】
2007503270.tif 000005
【図４】
2007503270.tif 000006
【図５】
2007503270.tif 000007
【図６】
2007503270.tif 000008
【国際調査報告】
2007503270.tif 000009
2007503270.tif 000010
2007503270.tif 000011